(57)【要約】  情報再生装置（５００）は、（ｉ）第１レーザ光により読取可能な第１記録層（１０１）に加えて、（ｉｉ−１）第２レーザ光により読取可能な第２記録層（１０２）、及び（ｉｉ−２）第３レーザ光により読取可能な第３記録層（１０３）のうち少なくとも一方の記録層と、を備える情報記録媒体を再生する情報再生装置であって、（ｉｉｉ）レーザ光を照射し、その反射光を受光する光ピックアップ手段と、（ｉｖ）光ピックアップ手段の出力に基づいて、第１記録層が存在するか否かの第１判定を行う第１判定手段（６００）と、（ｖ）いずれか一の記録層が、優先的に再生する優先再生層として、ユーザによって設定されているかの第２判定を行う第２判定手段（６００）と、（ｖｉ）記録情報を再生する再生手段と、（ｖｉｉ）第１判定、第２判定、及び光ピックアップ手段の出力に基づいて、記録情報を再生するように再生手段を制御する制御手段（６００）とを備える。
2007037162.tif 000002
【特許請求の範囲】
【請求項１】
（ｉ）第１波長の第１レーザ光により読取可能な信号面を有する第１記録層に加えて、（ｉｉ−１）第２波長の第２レーザ光により読取可能な信号面を有する第２記録層（DVD）、及び（ｉｉ−２）第３波長の第３レーザ光により読取可能な信号面を有する第３記録層のうち少なくとも一方の記録層と、を備える情報記録媒体を再生する情報再生装置であって、
前記第１レーザ光、前記第２レーザ光、又は前記第３レーザ光を照射し、その反射光を受光する光ピックアップ手段と、
前記光ピックアップ手段の出力に基づいて、前記第１記録層が存在するか否かの第１判定を行う第１判定手段と、
前記第１記録層、前記第２記録層、及び前記第３記録層のうちいずれか一の記録層が、優先的に再生する優先再生層として、ユーザによって設定されているかの第２判定を行う第２判定手段と、
前記第１記録層、前記第２記録層、又は前記第３記録層に記録された記録情報を再生する再生手段と、
前記第１判定、前記第２判定、及び前記光ピックアップ手段の出力に基づいて、前記記録情報を再生するように前記再生手段を制御する制御手段と
を備えることを特徴とする情報再生装置。
【請求項２】
前記第１レーザ光は、略青色から略青紫色のレーザ光であり、前記第２レーザ光は、略赤色のレーザ光であり、前記第３レーザ光は、赤外光であることを特徴とする請求の範囲第１項に記載の情報再生装置。
【請求項３】
前記第１記録層は、レーザ光が照射される側から見て、最も手前に配置されることを特徴とする請求の範囲第１項に記載の情報再生装置。
【請求項４】
前記第１記録層、前記第２記録層、及び前記第３記録層は、レーザ光が照射される側から、前記第１記録層、前記第２記録層、及び前記第３記録層の順番で配置されることを特徴とする請求の範囲第１項に記載の情報再生装置。
【請求項５】
前記第１判定手段は、更に、前記光ピックアップ手段の出力に基づいて、前記第２記録層、又は、前記第３記録層が存在するか否かの第３判定を行うことを特徴とする請求の範囲第１項に記載の情報再生装置。
【請求項６】
前記第１判定手段は、前記第１レーザ光が照射され、その反射光の受光による前記光ピックアップ手段の出力に基づいて、前記第１判定を行うことを特徴とする請求の範囲第１項に記載の情報再生装置。
【請求項７】
前記情報記録媒体は、前記第１記録層に加えて、前記第２記録層、及び前記第３記録層のうち少なくとも一方の記録層を備えるハイブリッドディスクであるか否かを識別する識別情報を記録可能な第１管理エリアを備え、
前記第１判定手段は、前記識別情報を読み取ることなく、前記第１判定を行うことを特徴とする請求の範囲第１項に記載の情報再生装置。
【請求項８】
前記第１記録層は、前記識別情報を記録可能な第２管理エリアを備え、
前記第１判定手段は、前記識別情報を読み取ることなく、前記第１判定を行うことを特徴とする請求の範囲第１項に記載の情報再生装置。
【請求項９】
前記第１判定手段は、所定の深度において、前記第１記録層の合焦点位置を示すＳ字信号が検出できるか否かに基づいて、前記第１判定を行うことを特徴とする請求の範囲第１項に記載の情報再生装置。
【請求項１０】
前記第１判定手段は、所定の深度において、前記第１レーザ光の照射による、所定光量の戻り光が得られるか否かに基づいて、前記第１判定を行うことを特徴とする請求の範囲第１項に記載の情報再生装置。
【請求項１１】
前記制御手段は、更に、前記第１記録層、前記第２記録層、及び前記第３記録層に夫々記録された記録情報を夫々再生するための再生設定を行うように、前記再生手段を制御することを特徴とする請求の範囲第１項に記載の情報再生装置。
【請求項１２】
（ｉ）第１波長の第１レーザ光により読取可能な信号面を有する第１記録層に加えて、（ｉｉ−１）第２波長の第２レーザ光により読取可能な信号面を有する第２記録層、及び（ｉｉ−２）第３波長の第３レーザ光により読取可能な信号面を有する第３記録層のうち少なくとも一方の記録層と、を備える情報記録媒体に、前記第１レーザ光、前記第２レーザ光、又は前記第３レーザ光を照射し、その反射光を受光する光ピックアップ手段と、前記第１記録層、前記第２記録層、又は前記第３記録層に記録された記録情報を再生する再生手段と、を備える情報再生装置における情報再生方法であって、
前記光ピックアップ手段の出力に基づいて、前記第１記録層が存在するか否かの第１判定を行う第１判定工程と、
前記第１記録層、前記第２記録層、及び前記第３記録層のうちいずれか一の記録層が、優先的に再生する優先再生層として、ユーザによって設定されているかの第２判定を行う第２判定工程と、
前記第１判定、前記第２判定、及び前記光ピックアップ手段の出力に基づいて、前記記録情報を再生するように前記再生手段を制御する制御工程と
を備えることを特徴とする情報再生方法。
【請求項１３】
請求の範囲第１項に記載の情報再生装置に備えられたコンピュータを制御する再生制御用のコンピュータプログラムであって、該コンピュータを、前記光ピックアップ手段、前記第１判定手段、前記第２判定手段、前記再生手段、及び前記制御手段のうち少なくとも一部として機能させることを特徴とするコンピュータプログラム。
【発明の詳細な説明】
【技術分野】
【０００１】
本発明は、例えば２層ハイブリッド型の光ディスク等の多層ハイブリッド型の情報記録媒体を再生するための情報再生装置及び方法、並びにコンピュータプログラムの技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭ、ＢＤ（Blu-ray Disc）などの光ディスク等の情報記録媒体では、特許文献１、２等に記載されているように、同一基板上に複数の記録層が積層されてなる、デュアルレイヤ型若しくはダブルレイヤ型、又は、マルチプルレイヤ型（多層型）の情報記録媒体も開発されている。より具体的には、２層型の光ディスクは、１層目として、情報再生装置で再生される際のレーザ光の照射側から見て最も手前側（即ち、光ピックアップに近い側）に位置する第１記録層を有しており、更にその奥側（即ち、光ピックアップから遠い側）に位置する半透過反射膜を有する。２層目として、該半透過反射膜の奥側に接着層等の中間層を介して位置する第２記録層を有しており、更にその奥側に位置する反射膜を有する。そして、このような２層型の光ディスクを再生する、ＤＶＤプレーヤー等の情報再生装置では、第１記録層に対して再生用のレーザ光を集光することで、第１記録層に記録された情報を再生し、第２記録層に対して該レーザ光を集光することで、第２記録層に記録された情報を再生することになる。【０００３】
また、特許文献３等には、例えばブルーレイディスク（Blu-ray Disc）を備えるハイブリッドディスク（Hybrid Disc）等のハイブリッド型の情報記録媒体に記録された記録情報を再生する再生方法について掲載されている。ここに、本願発明に係る「ハイブリッド型の情報記録媒体」とは、複数の異なる波長を夫々保持する複数のレーザ光によって夫々再生可能な複数の記録層を備える情報記録媒体を意味する。【０００４】
【特許文献１】特開２０００−３１１３４６号公報
【特許文献２】特開２００１−２３２３７号公報
【特許文献３】特開平１１−８６３３８号公報
【発明の開示】
【発明が解決しようとする課題】
【０００５】
しかしながら、特許文献３等に掲載された、ハイブリッド型の情報記録媒体に記録された記録情報を再生する再生方法では、次のような技術的な問題点が生じてしまう。即ち、特許文献３等に掲載された、ハイブリッド型の情報記録媒体の再生方法は、識別情報が記録された所定の記録層と、ユーザによって優先的に再生を行うように設定された優先再生層とが異なる場合、所定の記録層に対応されるレーザ光における各種の物理的及び論理的なパラメータの設定を含む再生設定と、優先再生層に対応されるレーザ光における各種の物理的及び論理的なパラメータの設定を含む再生設定とを冗長的に２回も行わなくてはならない。加えて、所定の記録層に記録された識別情報の読み込み処理も行わなくてはならない。このため、（ｉ）所定のレーザ光を照射するための再生設定の処理と、（ｉｉ）所定のレーザ光による識別情報の読み込み処理という、冗長的な処理の分だけ、ユーザの所望する優先再生層に記録された記録情報の再生を開始するまでの所要時間の短縮化を実現することが困難となってしまうという技術的な問題点を有している。【０００６】
本発明は、例えば上述した従来の問題点に鑑みなされたものであり、例えば２層ハイブリッド型の光ディスク等の多層ハイブリッド型の情報記録媒体において、記録情報をより迅速且つ的確に再生することが可能な情報再生装置及び方法、並びに、コンピュータプログラムを提供することを課題とする。
【課題を解決するための手段】
【０００７】
（情報再生装置）
以下、本発明の情報再生装置について説明する。【０００８】
上記課題を解決するために、本発明の情報再生装置は、（ｉ）第１波長の第１レーザ光により読取可能な信号面を有する第１記録層に加えて、（ｉｉ−１）第２波長の第２レーザ光により読取可能な信号面を有する第２記録層（DVD）、及び（ｉｉ−２）第３波長の第３レーザ光により読取可能な信号面を有する第３記録層（CD）のうち少なくとも一方の記録層と、を備える情報記録媒体を再生する情報再生装置であって、前記第１レーザ光、前記第２レーザ光、又は前記第３レーザ光を照射し、その反射光を受光する光ピックアップ手段と、前記光ピックアップ手段の出力に基づいて、前記第１記録層（BD）が存在するか否かの第１判定を行う第１判定手段と、前記第１記録層、前記第２記録層、及び前記第３記録層のうちいずれか一の記録層が、優先的に再生する優先再生層として、ユーザによって設定されているかの第２判定を行う第２判定手段と、前記第１記録層、前記第２記録層、又は前記第３記録層に記録された記録情報を再生する再生手段と、前記第１判定、前記第２判定、及び前記光ピックアップ手段の出力に基づいて、前記記録情報を再生するように前記再生手段を制御する制御手段とを備える。【０００９】
本発明の情報再生装置によれば、複数の異なる波長を夫々保持する複数のレーザ光によって夫々再生可能な複数の記録層を備えるハイブリッドディスク（Hybrid Disc）等のハイブリッド型の情報記録媒体に記録された記録情報は、次のような処理によって、再生されている。【００１０】
最初に、第１判定手段は、光ピックアップ手段による、例えばブルーレイ光等の第１レーザ光の照射に基づいて、第１記録層が存在するか否かを判定する。具体的には、第１レーザ光を照射するための各種の物理的なパラメータの設定を含む照射設定（以下、適宜「照射設定」と称す）が行われる。そして、第１レーザ光が第１記録層に照射されることによって、第１記録層が存在するか否かが判定される。ここで、第１記録層が存在すると判定された場合、この情報記録媒体は、当該第１記録層を少なくとも備えるハイブリッド型の情報記録媒体である可能性が高くなる。【００１１】
次に、ユーザの所望する優先的に再生を行うように設定された優先再生層と、第１記録層とが同じである場合、第１レーザ光を照射するための各種の物理的なパラメータの設定を含む照射設定は、既に完了しているので、当該照射設定を省略して、第１レーザ光による第１記録層に記録された記録情報の再生を迅速に開始することが可能である。他方、優先再生層と、第１記録層とが異なる場合、優先再生層に記録された記録情報を再生するための各種の物理的及び論理的なパラメータの設定を含む再生設定が行われる。【００１２】
このように、本発明に係る、ハイブリッド型の情報記録媒体の再生処理は、最初に、例えばハイブリッドディスクにおける基準となる記録層であるブルーレイに対応した第１記録層が存在するか否かが判定される。言い換えると、本発明では、フォーカスイン（Focus In：合焦点動作）が行われ、第１記録層に記録された記録情報を再生するための各種の物理的及び論理的なパラメータの設定を含む再生設定を省略して、第１レーザ光が照射されることで、ハイブリッド型の情報記録媒体であるか否かをより迅速に判定することが可能である。【００１３】
従って、例えばハイブリッドディスクにおける必須（基準）となる記録層である第１記録層と、ユーザによって優先的に再生を行うように設定された優先再生層とが異なる場合でも、優先再生層に対応されるレーザ光における各種の物理的及び論理的なパラメータの設定を含む再生設定を、冗長性を無くして、一回だけ行うだけでよい。言い換えると、第１記録層に対応されるレーザ光における各種の物理的及び論理的なパラメータの設定を含む再生設定を省略することが可能であると共に、第１記録層に記録された識別情報の読み込み処理を省略することが可能である。【００１４】
この結果、ハイブリッド型の情報記録媒体の再生処理において、第１記録層と、優先再生層とが異なる場合を含む全ての場合において、ユーザの所望する記録層に記録された記録情報の再生を開始するまでの所要時間の短縮化を実現すること可能である。【００１５】
本発明の情報再生装置の一の態様では、前記第１レーザ光は、略青色から略青紫色のレーザ光であり、前記第２レーザ光は、略赤色のレーザ光であり、前記第３レーザ光は、赤外光である。【００１６】
この態様によれば、第１レーザ光として、例えばブルーレイ（Blu-ray）等の相対的に一番目に短い波長のレーザ光を適用可能であり、第２レーザ光として、例えば赤色半導体レーザ等の相対的に二番目に短い波長のレーザ光を適用可能であり、第３レーザ光として、例えば赤外光等の相対的に長い波長のレーザ光を適用可能である。【００１７】
本発明の情報再生装置の他の態様では、前記第１記録層は、レーザ光が照射される側から見て、最も手前に配置される。【００１８】
この態様によれば、例えば初期動作である、レーザ光が最初に照射される記録層において、上述した第１判定を、より迅速に行うことが可能である。【００１９】
本発明の情報再生装置の他の態様では、前記第１記録層、前記第２記録層、及び前記第３記録層は、レーザ光が照射される側から、前記第１記録層、前記第２記録層、及び前記第３記録層の順番で配置される。【００２０】
この態様によれば、例えば初期動作である、レーザ光が最初に照射される記録層において、上述した第１判定を、より迅速に行うことが可能である。加えて、第２記録層における、上述した第２判定を、より迅速に行うことが可能である。【００２１】
本発明の情報再生装置の他の態様では、前記第１判定手段は、更に、前記光ピックアップ手段の出力に基づいて、前記第２記録層（DVD）、又は、前記第３記録層（CD）が存在するか否かの第３判定を行う。【００２２】
この態様によれば、第１判定手段は、更に、光ピックアップ手段による、例えばＤＶＤを再生するための第２レーザ光に基づいて、第２記録層が存在するか否かの第３判定を行うようにしてもよい。或いは、例えばＣＤを再生するため第３レーザ光の照射に基づいて、第３記録層が存在するか否かの第３判定を行うようにしてもよい。従って、第１記録層に加えて第２記録層を備えるハイブリッド型の情報記録媒体であるか否か、又は、第１記録層に加えて第３記録層を備えるハイブリッド型の情報記録媒体であるか否かの第３判定をより迅速且つ的確に判定することが可能となる。【００２３】
本発明の情報再生装置の他の態様では、前記第１判定手段は、前記第１レーザ光が照射され、その反射光の受光による前記光ピックアップ手段の出力に基づいて、前記第１判定を行う。【００２４】
この態様によれば、第１判定手段は、光ピックアップ手段による、ＢＤを再生するための第１レーザ光の照射と受光に基づいて、第１記録層が存在するか否かの第１判定を行う。従って、第１記録層を備える情報記録媒体であるか否かをより迅速且つ的確に判定することが可能となる。【００２５】
本発明の情報再生装置の他の態様では、前記情報記録媒体は、前記第１記録層に加えて、前記第２記録層、及び前記第３記録層のうち少なくとも一方の記録層を備えるハイブリッドディスクであるか否かを識別する識別情報を記録可能な第１管理エリア（BDのＤＩ（Disc Information）やBCA）を備え、前記第１判定手段は、前記識別情報を読み取ることなく、前記第１判定を行う。【００２６】
この態様によれば、第１判定手段は、例えばＢＤ等の第１記録層に有されるディスクインフォメーションＤＩ（Disc Information）や、バーストカッテンングエリアＢＣＡに記録された識別情報を読み取ることなく、光ピックアップ手段による、例えばＢＤを再生するための第１レーザ光の照射と受光に基づいて、第１記録層が存在するか否かの第１判定を行う。従って、第１判定をより迅速且つ的確に判定することが可能となる。【００２７】
本発明の情報再生装置の他の態様では、前記第１記録層は、前記識別情報を記録可能な第２管理エリア（BDのＤＩ（Disc Information））を備え、前記第１判定手段は、前記識別情報を読み取ることなく、前記第１判定を行う。【００２８】
この態様によれば、第１判定手段は、例えばＢＤ等の第１記録層に有されるディスクインフォメーションＤＩ（Disc Information）に記録された識別情報を読み取ることなく、光ピックアップ手段による、例えばＢＤを再生するための第１レーザ光の照射と受光に基づいて、第１記録層が存在するか否かの第１判定を行う。従って、第１判定をより迅速且つ的確に判定することが可能となる。【００２９】
本発明の情報再生装置の他の態様では、前記第１判定手段は、（例えば表面反射からの）所定の深度（0.1mm）において、前記第１記録層（BD）の合焦点位置を示すＳ字信号が検出できるか否かに基づいて、前記第１判定を行う。【００３０】
この態様によれば、第１判定手段は、例えばレーザ光の入射面における表面反射が検出された位置を基準とした、所定の深度（0.1mm）において、第１記録層（BD）の合焦点位置を示すＳ字信号が検出できるか否かに基づいて、第１判定を行う。従って、Ｓ字信号に基づいて、第１判定をより迅速且つ的確に判定することが可能となる。【００３１】
本発明の情報再生装置の他の態様では、前記第１判定手段は、（例えば表面反射からの）所定の深度（0.1mm）において、前記第１レーザ光の照射による、所定光量の戻り光が得られるか否かに基づいて、前記第１判定を行う。【００３２】
この態様によれば、第１判定手段は、例えばレーザ光の入射面における表面反射が検出された位置を基準とした、所定の深度（0.1mm）において、第１レーザ光の照射による、所定光量の戻り光が得られるか否かに基づいて、第１判定を行う。従って、戻り光に基づいて、第１判定をより迅速且つ的確に判定することが可能となる。加えて、概ね同様にして、第２レーザ光の照射による、所定光量の戻り光が得られるか否かに基づいて、第２記録層が存在するか否かの判定を行うようにしてもよい。或いは、第３レーザ光の照射による、所定光量の戻り光が得られるか否かに基づいて、第３記録層が存在するか否かの判定を行うようにしてもよい。【００３３】
本発明の情報再生装置の他の態様では、前記制御手段は、更に、前記第１記録層、前記第２記録層、及び前記第３記録層に夫々記録された記録情報を夫々再生するための再生設定（Set Up）を行うように、前記再生手段を制御する。【００３４】
この態様によれば、ハイブリッド型の情報記録媒体の再生処理において、レーザ光における各種の物理的及び論理的なパラメータの設定を含む再生設定を行ってから、記録情報の再生を開始することが可能である。【００３５】
（情報再生方法）
以下、本発明の情報再生方法について説明する。【００３６】
上記課題を解決するために、本発明の情報再生方法は、（ｉ）第１波長の第１レーザ光により読取可能な信号面を有する第１記録層に加えて、（ｉｉ−１）第２波長の第２レーザ光により読取可能な信号面を有する第２記録層（DVD）、及び（ｉｉ−２）第３波長の第３レーザ光により読取可能な信号面を有する第３記録層（CD）のうち少なくとも一方の記録層と、を備える情報記録媒体に、前記第１レーザ光、前記第２レーザ光、又は前記第３レーザ光を照射し、その反射光を受光する光ピックアップ手段と、前記第１記録層、前記第２記録層、又は前記第３記録層に記録された記録情報を再生する再生手段と、を備える情報再生装置における情報再生方法であって、前記光ピックアップ手段の出力に基づいて、前記第１記録層（BD）が存在するか否かの第１判定を行う第１判定工程と、前記第１記録層、前記第２記録層、及び前記第３記録層のうちいずれか一の記録層が、優先的に再生する優先再生層として、ユーザによって設定されているかの第２判定を行う第２判定工程と、前記第１判定、前記第２判定、及び前記光ピックアップ手段の出力に基づいて、前記記録情報を再生するように前記再生手段を制御する制御工程とを備える。【００３７】
本発明の情報再生方法によれば、上述した本発明の情報再生装置が有する各種利益を享受することが可能となる。【００３８】
尚、上述した本発明の情報再生装置が有する各種態様に対応して、本発明の情報再生方法も各種態様を採ることが可能である。【００３９】
（コンピュータプログラム）
以下、本発明のコンピュータプログラムについて説明する。【００４０】
上記課題を解決するために、本発明の再生制御用のコンピュータプログラムは、上述した本発明の情報再生装置（但し、その各種態様を含む）に備えられたコンピュータを制御する再生制御用のコンピュータプログラムであって、該コンピュータを前記光ピックアップ手段、前記第１判定手段、前記第２判定手段、前記再生手段、及び前記制御手段のうち少なくとも一部として機能させる。【００４１】
本発明に係るコンピュータプログラムによれば、当該コンピュータプログラムを格納するＲＯＭ、ＣＤ−ＲＯＭ、ＤＶＤ−ＲＯＭ、ハードディスク等の情報記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置を比較的簡単に実現できる。【００４２】
尚、上述した本発明の情報再生装置における各種態様に対応して、本発明のコンピュータプログラムも各種態様を採ることが可能である。【００４３】
上記課題を解決するために、コンピュータ読取可能な媒体内のコンピュータプログラム製品は、上述した本発明の情報再生装置（但し、その各種態様を含む）に備えられたコンピュータにより実行可能なプログラム命令を明白に具現化し、該コンピュータを前記光ピックアップ手段、前記第１判定手段、前記第２判定手段、前記再生手段、及び前記制御手段のうち少なくとも一部として機能させる。【００４４】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置を比較的容易に実施可能となる。更に具体的には、当該コンピュータプログラム製品は、上述した本発明の情報再生装置として機能させるコンピュータ読取可能なコード（或いはコンピュータ読取可能な命令）から構成されてよい。【００４５】
本発明のこのような作用及び他の利得は次に説明する実施例から明らかにされる。【００４６】
以上説明したように、本発明の情報再生装置及び方法によれば、光ピックアップ手段、第１判定手段及び工程、第２判定手段及び工程、再生手段、並びに、制御手段及び工程を備える。この結果、例えばハイブリッドディスクにおける必須（基準）となる記録層である第１記録層と、ユーザによって優先的に再生を行うように設定された優先再生層とが異なる場合でも、優先再生層に対応されるレーザ光における各種の物理的及び論理的なパラメータの設定を含む再生設定を、冗長性を無くして、一回だけ行うだけでよい。言い換えると、第１記録層に対応されるレーザ光における各種の物理的及び論理的なパラメータの設定を含む再生設定を省略することが可能であると共に、第１記録層に記録された識別情報の読み込み処理を省略することが可能である。以上の結果、ハイブリッド型の情報記録媒体の再生処理において、第１記録層と、優先再生層とが異なる場合を含む全ての場合において、ユーザの所望する記録層に記録された記録情報の再生を開始するまでの所要時間の短縮化を実現すること可能である。【００４７】
また、本発明のコンピュータプログラムによれば、コンピュータを上述した本発明の情報再生装置として機能させるので、上述した、ハイブリッド型の情報記録媒体の再生処理において、情報再生装置によって、第１記録層と、優先再生層とが異なる場合を含む全ての場合において、ユーザの所望する記録層に記録された記録情報の再生を開始するまでの所要時間の短縮化を実現すること可能である。
【図面の簡単な説明】
【００４８】
【図１】図１は、本実施例に係る情報記録媒体の一具体例である光ディスク１００の基本構成を示した概略平面図（図１（ａ））、及び、切断面「Ｘ」における該光ディスクの概略断面図（図１（ｂ））である。
【図２】図１（ｂ）に対応される切断面「Ｘ」における該光ディスクのより詳細な断面図である。
【図３】本発明の実施例に係る光ディスクの情報再生装置の基本構成を図式的に示したブロック図である。
【図４】本発明の実施例に係る光ディスクの情報再生装置の動作原理を示したフローチャートである。
【図５】本発明の実施例に係る光ディスクの情報再生装置の動作原理における第１判定及び第２判定に関するテーブル（図５（ａ）及び図５（ｂ））である。
【図６】本発明の実施例に係る光ディスクの情報再生装置によるレーザ光の照射によって取得されるフォーカスエラー信号と、表面反射を検出した時間を基準とした、対物レンズの移動時間と、の関係を示したグラフである。
【図７】比較例に係る情報記録媒体の一具体例である光ディスクの詳細な断面図である。
【図８】比較例に係る識別情報の一具体例を示したテーブルである。
【図９】本発明の実施例に係る光ディスクの情報再生装置によるレーザ光の照射によって取得される戻り光量と、表面反射に基づく戻り光量を検出した時間を基準とした、対物レンズの移動時間と、の関係を示したグラフである。
【図１０】本実施例に係る情報記録媒体の他の具体例である光ディスク１００ａ及び１００ｂの概略断面図（図１０（ａ）及び図１０（ｂ））である。
【符号の説明】
【００４９】
１００  光ディスク
１０１  第１記録層
１０２  第２記録層
１０３  第３記録層
１０４ａ（１０４ｂ）  ポリカーボネート層
１０５ａ（１０５ｂ）  ポリカーボネート層
５００  情報再生装置
５０２  光ピックアップ
５０３  スピンドルモータ
５０４  ヘッドアンプ
５１０  総和生成回路
５１１  ピットデータ復調回路
５１２  ピットデータ訂正回路
５２０  フォーカス・トラッキング制御信号生成回路
５２１  ローパスフィルタ
５２２  サーボユニット
６００  ＣＰＵ
６０１  タイマー
６０２  メモリ
ＬＢ１  レーザ光（ブルーレイ）
ＬＢ２  レーザ光（赤色半導体レーザ）
【発明を実施するための最良の形態】
【００５０】
以下、本発明を実施するための最良の形態について実施例毎に順に図面に基づいて説明する。
（１）本実施例に係る情報記録媒体
以下、図１及び図２を参照して本実施例に係る情報記録媒体の一具体例について説明を進める。
（１−１）基本構成
先ず、図１を参照して、本実施例に係る情報記録媒体の一具体例である光ディスクの基本構成の概略について説明する。ここに、図１（ａ）は、本実施例に係る情報記録媒体の一具体例である光ディスク１００の基本構成を示した概略平面図であり、図１（ｂ）は、切断面「Ｘ」における該光ディスクの概略断面図である。図２は、図１（ｂ）に対応される切断面「Ｘ」における該光ディスクのより詳細な断面図である。【００５１】
図１（ａ）に示すように、光ディスク１００は、例えばＤＶＤと同じくセンターホール１０を有する直径１２ｃｍ程度の円盤形状を有している。但し、この形状や大きさはこれに限定されるものではなく、様々な大きさ及び様々な形状を採用しても良いことは言うまでもない。【００５２】
図１（ｂ）に示すように、光ディスク１００は、例えば３層ハイブリッド型ディスク等の、複数の異なる波長を夫々保持する複数のレーザ光によって夫々再生可能な複数の記録層を備える多層ハイブリッド型の情報記録媒体である。【００５３】
具体的には、例えば３種類のレーザ光ＬＢ１、ＬＢ２及びＬＢ３が照射される側（図１（ｂ）中の下側）から見て、ポリカーボネート層１０４ａ、例えばＢＤ（Blu-ray Disc）等の第１記録層１０１、ポリカーボネート層１０５ａ、例えばＤＶＤ等の第２記録層１０２、ポリカーボネート層１０５ｂ、例えばＣＤ等の第３記録層１０３を備えて構成されている。【００５４】
より具体的には、第１記録層１０１は、再生パワーを保持するレーザ光ＬＢ１を所定の反射率で反射することによって、記録マークを再生可能な記録層である。ここに、本実施例に係るレーザ光ＬＢ１は、例えば波長が４０５ｎｍであるブルーレイ（Blue-ray）等の相対的に一番目に短い波長のレーザ光である。図２に示されるように、第１記録層１０１は、詳細には、ポリカーボネート層１０４ａにおける、レーザ光の入射面から「０．１ｍｍ」の離れた位置に配置されるようにしてもよい。尚、本願発明者らによる研究によれば、例えばＢＤ等の第１記録層は、レーザ光が照射される側から見て、一番手前であることが好ましいことが判明している。何故ならば、例えばコマ収差等の光学的な劣化は、（ｉ）ポリカーボネート層１０４ａの厚さ、及び（ｉｉ）ＮＡ（Numerical Aperture）の３乗に比例し、（ｉｉｉ）レーザ光の波長に反比例する。従って、ＮＡが大きく、且つ波長が小さいレーザ光ＬＢ１が照射される第１記録層は、（ｉ）ポリカーボネート層１０４ａの厚さを小さくすることによって、光学的な劣化を小さくすることが可能である。加えて、第１記録層は、例えばＨＤ−ＤＶＤ（High Density DVD）等の他の種類の記録層であってもよい。また、第１記録層は、一の波長のレーザ光に対する反射率は相対的に高く、他の波長のレーザ光に対する反射率は相対的に低いという特性である、所謂、波長選択性を保持するようにしてもよい。【００５５】
第２記録層１０２は、再生パワーを保持するレーザ光ＬＢ２を所定の反射率で反射することによって、記録マークを再生可能な記録層である。ここに、本実施例に係るレーザ光ＬＢ２は、例えば波長が６５０ｎｍである赤色レーザ光等の相対的に二番目に短い波長のレーザ光である。図２に示されるように、第２記録層１０２は、詳細には、ポリカーボネート層１０４ａにおける、レーザ光の入射面から「０．６ｍｍ」の離れた位置に配置されるようにしてもよい。また、第２記録層は、所謂、波長選択性を保持するようにしてもよい。【００５６】
第３記録層１０３は、再生パワーを保持するレーザ光ＬＢ３を所定の反射率で反射することによって、記録マークを再生可能な記録層である。尚、第３記録層１０３においては、レーザ光ＬＢ３を反射可能な全反射膜が積層されるように構成してもよい。ここに、本実施例に係るレーザ光ＬＢ３は、例えば波長が７８０ｎｍである赤外光等の相対的に最も長い波長のレーザ光である。図２に示されるように、第３記録層１０３は、詳細には、ポリカーボネート層１０４ａにおける、レーザ光の入射面から「１．２ｍｍ」の離れた位置に配置されるようにしてもよい。【００５７】
ポリカーボネート層１０４ａは、例えば０．１ｍｍの厚さを有するように構成してもよい。ポリカーボネート層１０４ｂは、例えば０．６ｍｍの厚さを有するように構成してもよい。【００５８】
（２）本実施例に係る情報再生装置
次に図３から図６を参照して、本発明の実施例に係る光ディスクの情報再生装置について説明する。【００５９】
（２−１）基本構成
先ず、図３を参照して、本発明の実施例に係る光ディスクの情報再生装置の基本構成について説明する。ここに、図３は、本発明の実施例に係る光ディスクの情報再生装置の基本構成を図式的に示したブロック図である。【００６０】
情報再生装置５００は、光ディスク１００、本発明に係る「再生手段」及び「光ピックアップ手段」の一例を構成する光ピックアップ５０２、スピンドルモータ５０３、ヘッドアンプ５０４、総和生成回路５１０、ピットデータ復調回路５１１、ピットデータ訂正回路５１２、バッファ５１３、インターフェース５１４、フォーカス・トラッキング制御信号生成回路５２０、ローパスフィルタ５２１、サーボユニット５２２、及び、ＣＰＵ（Central Processing Unit）６００を備えて構成されている。【００６１】
光ディスク１００には、第１クロック信号ＣＫ１に同期したピットデータＤＰが記録マーク２０の長短によって記録されている。ＲＦ再生信号成分の第１クロック信号ＣＫ１は、前述の光ディスク１００の各種実施例で説明したように、ほぼ一定周期で変動する光ディスク１００のＲＦ再生信号成分から、当該情報再生装置５００により生成可能な信号であり、本実施例では、ピットデータ復調回路５１１により生成される。尚、本実施例では、記録マーク２０はピットとも解釈でき、トラックはこのピット列によって構成される。【００６２】
情報再生装置５００は、より具体的には、光ディスク１００に対して再生ビームを照射するとともに反射光に応じた信号を出力する光ピックアップ５０２と、光ディスク１００の回転を制御するスピンドルモータ５０３と、サーボユニット５２２を備える。サーボユニット５２２には、第１クロック信号ＣＫ１が供給される。サーボユニット５２２は、これらの信号に同期して、スピンドルモータ５０３の回転を制御するスピンドルサーボを実行する。また、光ピックアップ５０２の光ディスク１００に対する相対的位置制御であるフォーカスサーボ及びトラッキングサーボは、光スポットがピット上に位置するように実行される。【００６３】
光ピックアップ５０２は、再生ビームを照射するレーザーダイオード、図示しない４分割検出回路を備える。４分割検出回路は、再生ビームの反射光を図３の上方に示す領域１Ａ、１Ｂ、１Ｃ、１Ｄに４分割し、各領域の光量に応じた信号を各々出力する。ヘッドアンプ５０４は、光ピックアップ５０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。尚、ここで、例えば、非点収差法によるフォーカスエラー信号が検出される（後述される図５等を参照）。また、ヘッドアンプ５０４は、ＲＦ（Radio Frequency）回路によって、具体化されるようにしてもよい。【００６４】
総和生成回路５１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。尚、総和生成回路５１０等は、ＤＳＰ（Digital Signal Processor）によって、具体化されるようにしてもよい。【００６５】
ピットデータ復調回路５１１は、総和読取信号ＳＲＦに基づいてピットデータＤＰを再生すると共に第１クロック信号ＣＫ１を生成する。より具体的にはピットデータ復調回路５１１は、ピット同期信号ＳＹＮＣｐ（図示しない）を基準位置として、再生されたピットデータＤＰを所定のテーブルを用いて復調して再生データを生成する。例えば、変調方式としてＥＦＭ変調が採用される場合には、１４ビットのピットデータＤＰを８ビットの再生データに変換する処理が施される。そして、再生データの順序を予め定められた規則に従って並べ換えるデスクランブル処理が実行されて、処理済の再生データが出力される。【００６６】
このようにして得られた再生データは、ピットデータ訂正回路５１２へ供給され、そこで、エラー訂正処理や補間処理等が施された後、バッファ５１３に記憶される。インターフェース５１４はバッファ５１３に記憶されたデータを順次読み出して所定の出力形式に変換して外部機器へ出力する。【００６７】
フォーカス・トラッキング制御信号生成回路５２０において、本実施例に係るフォーカス制御信号はレーザーダイオードの非点収差を利用して（１ａ＋１ｃ）−（１ｂ＋１ｄ）を算出しローパスフィルタ５２１を介してサーボユニット５２２へ出力され、その値が０となるようフォーカス制御を実行してもよい。また本実施例に係るトラッキング制御信号はピットによる回折を利用してＤＰＤ（Differential Phase detect法）信号、つまり（１ａ−１ｂ間の位相比較）＋（１ｃ−１ｄ間の位相比較）を算出しローパスフィルタ５２１を介してサーボユニット５２２へ出力され、その値が０となるようトラッキング制御を実行してもよい。成分１a及び１ｄは、読取方向に対して左側の領域１Ａ及び１Ｄに対応する一方、成分１ｂ及び１ｃは、読取方向に対して右側の領域１Ｂ及び１Ｃに対応する。フォーカス制御信号の値は再生ビーム記録層との相対的な位置関係を表している。またトラッキング制御信号の値は再生ビームとピットの相対的な位置関係を表している。【００６８】
ＣＰＵ６００は、図示しないバス等を介して接続され、各回路又は手段等に指示を行うことで、情報再生装置５００全体の制御を行う。通常、ＣＰＵ６００が動作するためのソフトウェアは、メモリ６０２等に格納されている。また、ＣＰＵ６００が有するメモリ６０２は、後述される本発明に係る第１判定の結果に関する情報、及び、第２判定に関する情報を格納するようにしてもよい。加えて、ＣＰＵ６００が有するタイマーは、後述されるように、対物レンズを等速で移動させ、移動時間から、移動距離を一義的に導出する際の、移動時間の測定手段として機能するようにしてもよい。【００６９】
（２−２）動作原理
次に、図４及び図６を参照して、本発明の実施例に係る光ディスクの情報再生装置の動作原理について説明する。ここに、図４は、本発明の実施例に係る光ディスクの情報再生装置の動作原理を示したフローチャートである。図５は、本発明の実施例に係る光ディスクの情報再生装置の動作原理における第１判定及び第２判定に関するテーブル（図５（ａ）及び図５（ｂ））である。図６は、本発明の実施例に係る光ディスクの情報再生装置によるレーザ光の照射によって取得されるフォーカスエラー信号と、表面反射を検出した時間を基準とした、対物レンズの移動時間と、の関係を示したグラフである。尚、対物レンズは、等速で移動するので、移動時間から、移動距離を一義的に導出することが可能あることは言うまでもない。【００７０】
図４に示されるように、先ず、例えばユーザによって、光ディスクが挿入される（ステップＳ１０１）。【００７１】
次に、ＣＰＵ６００の制御下で、例えばブルーレイ等のレーザ光ＬＢ１を照射するための半導体レーザ（Laser Diode）、即ち、ＢＤ（Blu-ray Disc）用の半導体レーザが駆動される（ステップＳ１０２）。【００７２】
次に、ＣＰＵ６００の制御下で、例えばブルーレイ等のレーザ光ＬＢ１が照射され、例えばＢＤ等の第１記録層１０１が存在するか否かが判定される（ステップＳ１０３）。即ち、図５（ａ）で示された、本発明に係る第１判定が行われる。より具体的には、図６に示されるように、ＣＰＵ６００の制御下で、対物レンズ（フォーカスレンズ）が漸進的（連続的）に近接される。そして、ポリカーボネート層１０４ａの入射面において発生する表面反射を示す小さなＳ字信号、言い換えると、Ｓ字波形をしたフォーカスエラー信号が検出された位置から「０．１ｍｍ」の離れた位置において、第１記録層におけるＳ字信号が検出される場合には、第１記録層１０１が存在すると判定するようにしてもよい。尚、第１判定の結果は、例えばＣＰＵ６００の制御下で、メモリに格納されるようにしてもよい。【００７３】
一般的に、例えば多層型の光ディスクの夫々の記録層に記録された情報へのフォーカス引き込みは、フォーカスサーボの制御によって実現されている。より具体的には、光ピックアップ内の対物レンズを光ディスクに近づける方向に移動させると、一の記録層にフォーカス（焦点）が合わされている場合、一の記録層の例えば、半透過反射膜からの反射光のフォーカスエラー信号は「０」に収束する。更に、対物レンズを上昇させ、光ディスクに近づける方向に移動させると、他の記録層にフォーカスが合わされている場合、他の記録層の反射膜からの反射光のフォーカスエラー信号は「０」に収束する。このように、対物レンズを光ディスクに近づける方向に移動させると、一の記録層にフォーカスが合わされている場合の対物レンズの位置（所謂、一の記録層の「合焦点位置」）及び他の記録層の合焦点位置を中心とする少なくとも２つのＳ字信号が得られる。この少なくとも２つのＳ字信号を利用したフォーカスサーボの制御下で、対物レンズの位置を上下させることで、一の記録層、及び、他の記録層の夫々に対してフォーカスを合わせることができる。【００７４】
前述したステップＳ１０３の判定の結果、例えばＢＤ等の第１記録層１０１が存在すると判定された場合（ステップＳ１０３：Ｙｅｓ）、更に、ＣＰＵ６００の制御下で、例えばＢＤ（Blu-ray Disc）等の第１記録層が、優先的に再生する優先再生層として、ユーザによって設定されており、再生順番の優先度が高いか否かが判定される（ステップＳ１０４）。即ち、図５（ｂ）で示された、本発明に係る第２判定が行われる。尚、第２判定の結果となる、ユーザによる優先再生層としての設定は、例えばＣＰＵ６００の制御下で、メモリに格納されるようにしてもよい。ここで、例えばＢＤ（Blu-ray Disc）等の第１記録層が、優先再生層として設定されていなく、優先度が高くなく、例えばＣＤ等の第３記録層が、優先再生層として設定されており、優先度が高い場合（ステップＳ１０４：Ｎｏ）、ＣＰＵ６００の制御下で、例えばＣＤ等のレーザ光ＬＢ３を照射するための半導体レーザ、即ち、ＣＤ用の半導体レーザが駆動される（ステップＳ１０５）。【００７５】
次に、ＣＰＵ６００の制御下で、例えば赤外光等のレーザ光ＬＢ３が照射され、例えばＣＤ等の第３記録層１０３や、例えばＤＶＤ等の第２記録層１０２等の第１記録層１０１以外の記録層に対応されるＳ字信号が検索される（ステップＳ１０６）。【００７６】
次に、ＣＰＵ６００の制御下で、例えばＣＤ等の第３記録層１０３や、例えばＤＶＤ等の第２記録層１０２等の第１記録層１０１以外の記録層が存在するか否かが判定される（ステップＳ１０７）。ここで、例えばＣＤ等の第３記録層１０３や、例えばＤＶＤ等の第２記録層１０２等の第１記録層１０１以外の記録層が存在すると判定された場合（ステップＳ１０７：Ｙｅｓ）、前述したステップＳ１０３と概ね同様にして、Ｓ字信号が検出された位置に基づいて、第３記録層１０３が存在するのか、又は、第２記録層１０２が存在するのかが判定処理が行われる（ステップＳ１０８）。【００７７】
次に、ＣＰＵ６００の制御下で、例えばＣＤ等の第３記録層１０３が存在するか否かが判定される（ステップＳ１０９）。より具体的には、前述した図６に示されるように、ＣＰＵ６００の制御下で、対物レンズが漸進的に近接される。そして、ポリカーボネート層１０４ａの入射面において発生する表面反射を示す小さなＳ字信号が検出された位置から「１．２ｍｍ」の離れた位置において、第３記録層におけるＳ字信号が検出される場合には、第３記録層１０３が存在すると判定するようにしてもよい。或いは、ポリカーボネート層１０４ａの入射面において発生する表面反射を示す小さなＳ字信号が検出された位置から「０．６ｍｍ」の離れた位置において、第２記録層におけるＳ字信号が検出される場合には、第２記録層１０２が存在すると判定するようにしてもよい。【００７８】
前述したステップＳ１０９の判定の結果、例えばＣＤ等の第３記録層１０３が存在すると判定された場合、即ち、ＢＤ等の第１記録層、及び、ＣＤ等の第３記録層によって構成されるハイブリッド型の情報記録媒体であると判定された場合（ステップＳ１０９：Ｙｅｓ）、更に、ＣＰＵ６００の制御下で、例えばＣＤ等の第３記録層が、優先的に再生する優先再生層として、ユーザによって設定されており、再生順番の優先度が高いか否かが判定される（ステップＳ１１０）。ここで、例えばＣＤ等の第３記録層が、優先的に再生する優先再生層として、ユーザによって設定されており、再生順番の優先度が高い場合（ステップＳ１１０：Ｙｅｓ）、ＣＰＵ６００の制御下で、例えばＣＤ等の第３記録層に記録された記録情報を再生するための各種の物理的及び論理的なパラメータの設定を含む再生設定の処理が行われる（ステップＳ１１１）。【００７９】
他方、ステップＳ１０９の判定の結果、例えばＣＤ等の第３記録層１０３が存在しないと判定され、例えばＤＶＤ等の第２記録層１０２が存在すると判定された場合、即ち、ＢＤ等の第１記録層、及び、ＤＶＤ等の第２記録層によって構成されるハイブリッド型の情報記録媒体であると判定された場合（ステップＳ１０９：Ｎｏ）、更に、ＣＰＵ６００の制御下で、例えばＤＶＤ等の第２記録層が、優先的に再生する優先再生層として、ユーザによって設定されており、再生順番の優先度が高いか否かが判定される（ステップＳ１１２）。ここで、例えばＤＶＤ等の第２記録層が、優先的に再生する優先再生層として、ユーザによって設定されており、再生順番の優先度が高い場合（ステップＳ１１２：Ｙｅｓ）、ＣＰＵ６００の制御下で、例えばＤＶＤ等の第２記録層に記録された記録情報を再生するための各種の物理的及び論理的なパラメータの設定を含む再生設定の処理が行われる（ステップＳ１１３）。尚、この再生設定には、レーザ光ＬＢ２に対応される、半導体レーザ（Laser Diode）の駆動を含む。【００８０】
更に、他方、（ｉ）ステップＳ１０４の判定の結果、例えばＢＤ（Blu-ray Disc）等の第１記録層が、優先再生層として設定されており、優先度が高い場合（ステップＳ１０４：Ｙｅｓ）、（ｉｉ）ステップＳ１０７の判定の結果、例えばＣＤ等の第３記録層１０３や、例えばＤＶＤ等の第２記録層１０２等の第１記録層１０１以外の記録層が存在しないと判定された場合、即ち、ＢＤ等の第１記録層のみによって構成される情報記録媒体であると判定された場合（ステップＳ１０７：Ｎｏ）、（ｉｉｉ）ステップＳ１１０の判定の結果、例えばＣＤ等の第３記録層が、優先的に再生する優先再生層として、ユーザによって設定されていなく、再生順番の優先度が高くない場合（ステップＳ１１０：Ｎｏ）、又は、（ｉｖ）ステップＳ１１２の判定の結果、例えばＤＶＤ等の第２記録層が、優先的に再生する優先再生層として、ユーザによって設定されていなく、再生順番の優先度が高くない場合（ステップＳ１１２：Ｎｏ）、次の処理が行われるようにしてもよい。【００８１】
即ち、ＣＰＵ６００の制御下で、例えばブルーレイ等のレーザ光ＬＢ１が照射され、例えばＢＤ等の第１記録層１０１が存在するか否かが判定される（ステップＳ１１４）。ここで、例えばＢＤ等の第１記録層が、存在する場合（ステップＳ１１４：Ｙｅｓ）、ＣＰＵ６００の制御下で、例えばＢＤ等の第１記録層に記録された記録情報を再生するための各種の物理的及び論理的なパラメータの設定を含む再生設定の処理が行われる（ステップＳ１１５）。他方、例えばＢＤ等の第１記録層が、存在しない場合（ステップＳ１１４：Ｎｏ）、一連の再生設定の処理は終了される（ステップＳ１１６）。【００８２】
更に、他方、前述のステップＳ１０３の判定の結果、例えばＢＤ等の第１記録層１０１が存在しないと判定された場合（ステップＳ１０３：Ｎｏ）、前述したように、Ｓ字信号が検出された位置に基づいて、第３記録層１０３が存在するのか、又は、第２記録層１０２が存在するのかが判定処理が行われる（ステップＳ１０８）。【００８３】
（３）本実施例に係る情報再生装置の作用効果の検討
次に、図７、及び図８を参照して本実施例に係る情報再生装置の作用効果について検討する。ここに、図７は、比較例に係る情報記録媒体の一具体例である光ディスクの詳細な断面図である。図８は、比較例に係る識別情報の一具体例を示したテーブルである。【００８４】
比較例に係る、ハイブリッドディスクの再生方法においては、最初に、当該情報記録媒体が、ハイブリッド型の情報記録媒体であるか否かが識別される。具体的には、例えばブルーレイ光等の第１レーザ光によって、当該第１レーザ光に対応した第１記録層に記録された記録情報を再生するための、各種の物理的及び論理的なパラメータの設定を含む再生設定が行われる。【００８５】
次に、図７に示されるように、第１レーザ光が第１記録層に照射され、この第１レーザ光によって読み取り可能な識別情報（所謂、Hybrid DiscのDisc Type）が読み込まれる。この読み込まれた識別情報に基づいて、当該情報記録媒体が、ハイブリッド型の情報記録媒体であるか否かが識別される。より具体的には、この識別情報には、図８に示されるように、ハイブリッドディスクを構成する記録層の種類を特定可能な、各種の情報が含まれる。尚、この識別情報は、一般的に、例えばディスクインフォメーション（Disc Information）やＢＣＡ（Burst Cutting Area）等の管理エリアに記録される。【００８６】
次に、ユーザの所望する優先的に再生を行うように設定された優先再生層と、第１記録層とが異なる場合、優先再生層に対応される他のレーザ光を照射し、優先再生層に記録された記録情報を再生するための各種の物理的及び論理的なパラメータの設定を含む再生設定が行われる。【００８７】
このように、比較例に係るハイブリッド型の情報記録媒体の再生方法は、識別情報が記録された第１記録層と、ユーザによって優先的に再生を行うように設定された優先再生層とが異なる場合、第１記録層に対応されるレーザ光における各種の物理的及び論理的なパラメータの設定を含む再生設定と、優先再生層に対応されるレーザ光における各種の物理的及び論理的なパラメータの設定を含む再生設定とを冗長的に２回も行わなくてはならない。加えて、第１記録層に記録された識別情報の読み込み処理も行わなくてはならない。よって、上述したように（ｉ）第１レーザ光を照射するための再生設定の処理と、（ｉｉ）第１レーザ光による識別情報の読み込み処理という、冗長的な処理の分だけ、ユーザの所望する優先再生層に記録された記録情報の再生を開始するまでの所要時間の短縮化を実現することが困難となってしまう。【００８８】
これに対して、本実施例によれば、上述したように、ハイブリッド型の情報記録媒体に記録された記録情報は、次のような処理によって、再生される。最初に、ＣＰＵ６００の制御下で、例えばブルーレイ光等の第１レーザ光の照射に基づいて、第１記録層が存在するか否かを判定する。具体的には、上述した再生設定よりはより簡便な処理である、第１レーザ光を照射するための各種の物理的なパラメータの設定を含む照射設定が行われる。そして、第１レーザ光が第１記録層に照射されることによって、第１記録層が存在するか否かが判定される。ここで、第１記録層が存在すると判定された場合、この情報記録媒体は、当該第１記録層を少なくとも備えるハイブリッド型の情報記録媒体である可能性が高くなる。【００８９】
次に、ユーザの所望する優先的に再生を行うように設定された優先再生層と、第１記録層とが同じである場合、第１レーザ光を照射するための各種の物理的なパラメータの設定を含む照射設定は、既に完了しているので、当該照射設定を省略して、第１レーザ光による第１記録層に記録された記録情報の再生を迅速に開始することが可能である。他方、優先再生層と、第１記録層とが異なる場合、優先再生層に記録された記録情報を再生するための各種の物理的及び論理的なパラメータの設定を含む再生設定が行われる。【００９０】
このように、本発明に係る、ハイブリッド型の情報記録媒体の再生処理は、最初に、例えばハイブリッドディスクにおける基準となる記録層であるブルーレイに対応した第１記録層が存在するか否かが判定される。言い換えると、本発明では、フォーカスイン（Focus In：合焦点動作）が行われ、第１記録層に記録された記録情報を再生するための各種の物理的及び論理的なパラメータの設定を含む再生設定を省略して、第１レーザ光が照射されることで、ハイブリッド型の情報記録媒体であるか否かをより迅速に判定することが可能である。【００９１】
この結果、例えばハイブリッドディスクにおける必須（基準）となる記録層である第１記録層と、ユーザによって優先的に再生を行うように設定された優先再生層とが異なる場合でも、優先再生層に対応されるレーザ光における各種の物理的及び論理的なパラメータの設定を含む再生設定を、冗長性を無くして、一回だけ行うだけでよい。言い換えると、第１記録層に対応されるレーザ光における各種の物理的及び論理的なパラメータの設定を含む再生設定を省略することが可能であると共に、第１記録層に記録された識別情報の読み込み処理を省略することが可能である。【００９２】
以上の結果、ハイブリッド型の情報記録媒体の再生処理において、第１記録層と、優先再生層とが異なる場合を含む全ての場合において、ユーザの所望する記録層に記録された記録情報の再生を開始するまでの所要時間の短縮化を実現すること可能である。【００９３】
（４）本実施例に係る第１判定の他の具体例
次に、図９を参照して、本実施例に係る第１判定の他の具体例について説明する。ここに、図９は、本発明の実施例に係る光ディスクの情報再生装置によるレーザ光の照射によって取得される戻り光量と、表面反射に基づく戻り光量を検出した時間を基準とした、対物レンズの移動時間と、の関係を示したグラフである。尚、前述したように、対物レンズは、等速で移動するので、移動時間から、移動距離を一義的に導出することが可能あることは言うまでもない。【００９４】
図９に示されるように、本実施例に係る第１判定の他の具体例は、次のように行われるようにしてもよい。先ず、ＣＰＵ６００の制御下で、対物レンズが漸進的に近接される。そして、ポリカーボネート層１０４ａの入射面において発生する表面反射に基づく戻り光量の増加を示す山形状の信号が検出された位置から「０．１ｍｍ」の離れた位置において、第１記録層における戻り光量の増加を示す山形状の信号が検出される場合には、第１記録層１０１が存在すると判定するようにしてもよい。概ね同様にして、表面反射に基づく戻り光量の増加を示す山形状の信号が検出された位置から「０．６ｍｍ」の離れた位置において、第２記録層における戻り光量の増加を示す山形状の信号が検出される場合には、第２記録層１０２が存在すると判定するようにしてもよい。更に、概ね同様にして、表面反射に基づく戻り光量の増加を示す山形状の信号が検出された位置から「１．２ｍｍ」の離れた位置において、第３記録層における戻り光量の増加を示す山形状の信号が検出される場合には、第３記録層１０３が存在すると判定するようにしてもよい。【００９５】
（５）本実施例に係る情報再生装置の対象となる情報記録媒体の他の具体例
次に、図１０を参照して、本実施例に係る情報再生装置の対象となる情報記録媒体の他の具体例である光ディスクの基本構成の概略について説明する。ここに、図１０は、本実施例に係る情報記録媒体の他の具体例である光ディスク１００ａ及び１００ｂの概略断面図（図１０（ａ）及び図１０（ｂ））である。尚、前述した本実施例に係る情報記録媒体と同様の構成には、同様の符号番号を付し、それらの説明は適宜省略する。【００９６】
図１０（ａ）に示すように、本実施例に係る、情報記録媒体の他の具体例である光ディスク１００ａは、例えばブルーレイ等のレーザ光ＬＢ１、及び、例えば赤色レーザ光等のレーザ光ＬＢ２等の２種類のレーザ光によって夫々再生可能な２つの記録層を備える２層ハイブリッド型の情報記録媒体であるようにしてもよい。【００９７】
或いは、図１０（ｂ）に示すように、本実施例に係る、情報記録媒体の他の具体例である光ディスク１００ｂは、例えばブルーレイ等のレーザ光ＬＢ１、及び、例えば赤外光等のレーザ光ＬＢ３等の２種類のレーザ光によって夫々再生可能な２つの記録層を備える２層ハイブリッド型の情報記録媒体であるようにしてもよい。【００９８】
また、上述の実施例では、情報記録媒体の一例として光ディスク１００、及び情報再生装置の一例として光ディスクに係るプレーヤーについて説明したが、本発明は、光ディスク、及び、当該光ディスクのプレーヤーに限られるものではなく、他の高密度記録或いは高転送レート対応の各種の情報記録媒体、並びに、当該各種の情報記録媒体のプレーヤーにも適用可能である。【００９９】
本発明は、上述した実施例に限られるものではなく、請求の範囲及び明細書全体から読み取れる発明の要旨或いは思想に反しない範囲で適宜変更可能であり、そのような変更を伴う情報再生装置及び方法、並びに再生制御用のコンピュータプログラムもまた本発明の技術的範囲に含まれるものである。
【産業上の利用可能性】
【０１００】
本発明に係る情報再生装置及び方法、並びにコンピュータプログラムは、例えば２層ハイブリッド型の光ディスク等の多層ハイブリッド型の情報記録媒体を再生するための情報再生装置に利用可能である。また、例えば民生用或いは業務用の各種コンピュータ機器に搭載される又は各種コンピュータ機器に接続可能な情報再生装置等にも利用可能である。
【図１】
2007037162.tif 000003
【図２】
2007037162.tif 000004
【図３】
2007037162.tif 000005
【図４】
2007037162.tif 000006
【図５】
2007037162.tif 000007
【図６】
2007037162.tif 000008
【図７】
2007037162.tif 000009
【図８】
2007037162.tif 000010
【図９】
2007037162.tif 000011
【図１０】
2007037162.tif 000012
【国際調査報告】
2007037162.tif 000013
2007037162.tif 000014
2007037162.tif 000015
2007037162.tif 000016